(57)【要約】      （修正有）【課題】使用し易く、かつ、安全性の良好なマルチタップを提供する。【解決手段】一対の平行な刃を有するプラグ類を接続する、一対の平行な刃受け口をタップ本体の一面に有し、それと平行な一対の端子をタップ本体の内部に備えたマルチタップについて、一対の刃受け口１３、１４は、複数個のプラグの刃を同時に挿し込める長さの溝状を有し、下部材１５Ｂの内部には、端子収容部１６、１７が、同様に型成形によって、設けられている。また、通電コード１８の取り付け部１９が、上下二部材１５Ａ、１５Ｂの長手方向の一端部に同様に設けられている。刃を受ける一対の端子２０Ａ、２０Ｂは、それぞれほぼＵ字状の横断面形状を有するとともに、複数個のプラグの刃の並び方向に所定の間隔で形成された切り離し部２１を有し、上記切り離し部はプラグ類の上記並び方向においてその位置をずらせて配置されている。【選択図】図２
0003191623.tif 000002
【実用新案登録請求の範囲】
【請求項１】
一対の平行な刃を有するプラグ類を接続する、一対の平行な刃受け口をタップ本体の一面に有し、それと平行な一対の端子をタップ本体の内部に備えたマルチタップであって、
一対の刃受け口は、複数個のプラグの刃を同時に挿し込める長さの溝状を有し、
刃を受ける一対の端子は、それぞれほぼＵ字状の横断面形状を有するとともに、複数個のプラグの刃の並び方向に所定の間隔で形成された切り離し部を有し、上記切り離し部はプラグ類の上記並び方向においてその位置をずらせて配置されている
ことを特徴とするマルチタップ。
【請求項２】
タップ本体の刃受け口は、異物侵入を防止するシャッター機構を有しており、シャッター機構は一対の刃受け口を内側にて開閉する各一対の開閉片及びそれらの間に位置して一対の開閉片を押し広げる方向に作用する弾性部材を有し、上記一対の開閉片には、刃受け口に差し込まれるプラグ類と接触する斜面を設け、上記斜面の分力によって弾性部材を圧縮し開閉片が開く方向へ移動するように構成された請求項１記載のマルチタップ。
【請求項３】
プラグ類の刃が傾斜した時に端子から外れやすいように、タップ本体一面の刃受け口と端子との間隔を空けるために、刃受け口と端子との間にスペーサーを配置した請求項１又は２記載のマルチタップ。
【考案の詳細な説明】
【技術分野】
【０００１】
本考案は、一対の平行な刃を有するプラグ類を接続する、一対の平行な刃受け口をタップ本体の一面に有し、それと平行な一対の端子をタップ本体の内部に備えたマルチタップに関するものである。
【背景技術】
【０００２】
タップ本体の一面に一対の平行な刃受け口を長溝状に設け、複数個のプラグ類の刃を挿し込むことができるようにしたマルチタップがある。このものは、プラグ類の刃を挿し込む位置を任意に選択することができ、プラグ類の刃のほか、例えば、ＡＣアダプターの刃なども挿し込めるので、使用上の自由度が大きいというメリットがある。
【０００３】
しかしながら、次に挙げるような問題点も指摘されている。
ア．刃受け口が長いので異物が侵入し易く、金属等異物が混入の可能性がある。
イ．刃受け口が長いのでプラグ類が傾き易く、露出した刃に触れて感電する危険がある。
ウ．刃受け口内部の端子に差し込まれる刃の厚さが異なるとき、薄い刃については保持力が不足し、簡単に抜け出す恐れがある。
【０００４】
先行技術を調査したところ、特開平１１−４０２９９号公報の発明を見出した。同号の発明はＡＣアダプター用コンセントタップに関するものであり、二本の電極間に接地極を挟んで配置するもので、任意の位置にてＡＣアダプターを接続することができると記載されている。しかしながら、その内部構造は開示されていないため、前記ア、イ、ウについて問題が解決されているとはいえない。
【０００５】
【特許文献１】特開平１１−４０２９９号
【考案の開示】
【考案が解決しようとする課題】
【０００６】
本考案は前記の実情に鑑みてなされたもので、その課題は、使用し易く、かつ、安全性の良好なマルチタップを提供することである。また、本考案の他の課題は、従来のマルチタップに見られる前記のような問題点を可能な限り解消することである。
【課題を解決するための手段】
【０００７】
前記の課題を解決するため、本考案は、一対の平行な刃を有するプラグ類を接続する一対の平行な刃受け口をタップ本体の一面に有し、それと平行な一対の端子をタップ本体の内部に備えたマルチタップについて、一対の刃受け口は、複数個のプラグの刃を同時に挿し込める長さの溝状を有し、刃を受ける一対の端子は、それぞれほぼＵ字状の横断面形状を有するとともに、複数個のプラグの刃の並び方向に所定の間隔で形成された切り離し部を有し、上記切り離し部はプラグ類の上記並び方向においてその位置をずらせて配置されているという手段を講じたものである。
【０００８】
本考案のマルチタップは、２個一対の平行な刃を有するプラグ類、例えば、無極性のプラグＡ又はそれと同等のものに適するがそれに限定されるものでもない。例えば、タイプＢ或いはタイプＣのプラグについて本考案を適用することも不可能ではない。本考案においてプラグ類とは、これらの平行な刃を有するものを含み、また、同様の刃を有するＡＣアダプターなどプラグに類するもの全てを総称する。
【０００９】
本考案において、一対の刃受け口は、複数個のプラグ類の刃を同時に挿し込める長さの細長い連続した溝状を有しているものとする。つまり、外形的には、２個一対の溝状の刃受け口がタップ本体の一面に平行に並んで設けられており、プラグ類の一対の刃は各溝状の刃受け口に挿し込まれる。
【００１０】
刃を受ける一対の端子は、それぞれほぼＵ字状の横断面形状を有するとともに、複数個のプラグの刃の並び方向に所定の間隔で形成された切り離し部を有し、上記切り離し部はその位置がプラグ類の上記並び方向においてずれた配置になっている。切り離し部は刃幅よりはるかに小さいスリットであるが、同一位置にあるとスリット間の端子部分が平行に開閉して、厚みの異なる刃（特に薄い刃）の接続が確実でなくなる。しかし、スリットの位置を同一でなくすれば刃を受ける端子の対向する片同士が平行に開き難くなり広狭の差ができ、厚みの異なる刃（特に薄い刃）でも確実に接続するようになる。即ち、切り離し位置をずらすことで、プラグ類の刃に対して常に一定以上の保持力を得ることができる。
【００１１】
タップ本体の刃受け口は、異物侵入を防止するシャッター機構を有しており、シャッター機構は一対の刃受け口を内側にて開閉する各一対の開閉片及びそれらの間に位置して一対の開閉片を押し広げる方向に作用する弾性部材を有し、上記一対の開閉片には、刃受け口に差し込まれるプラグ類と接触する斜面を設け、上記斜面の分力によって弾性部材を圧縮し開閉片が開く方向へ移動するように構成することができる。
【００１２】
シャッター機構により異物の侵入防止効果を期待するものであるが、特に、金属片等が外部からタップ本体の内部に入り込む危険を排除するために有効である。金属片等が端子に接触し、それに人体が接触すれば感電の危険性があるからである。刃受け口の広いこの型のマルチタップでは、プラグの刃よりもはるかに大きい金属片等が刃受け口に入り込み得るので、シャッター機構はその対策となる。
【００１３】
本考案では、プラグ類の刃が傾斜した時に刃を受けている端子から外れ易いように、タップ本体一面の刃受け口と端子との間隔を空けるために、刃受け口と端子との間にスペーサーを配置するという構成を取ることができる。このスペーサーにより、刃を受ける端子の位置が刃受け口から奥へ離れ、刃が傾斜すると容易に端子から外れるので、傾斜し露出している刃に手が触れても感電の恐れはない。
【考案の効果】
【００１４】
本考案は以上のように構成され、かつ、作用するものであり、刃受け口が長く、複数個のプラグの刃を同時に挿し込めるので使用し易く、かつ、端子部分が平行に開かずに広狭の差ができるので、厚みの異なる刃（特に薄い刃）でも確実に接続するという効果を奏する。また、本考案によれば、シャッター機構により異物の侵入が防止され、また、プラグ類の刃が傾斜した時に端子から外れ易いので、刃が露出したまま通電状態にあるということがなくなり、安全なマルチタップを提供することができる。
【考案を実施するための最良の形態】
【００１５】
以下、図示の実施形態を参照して、本考案をより詳細に説明する。本考案に係るマルチタップは接続を想定するプラグ類の個数によって大（長）、中、小（短）様々な形態を取り得る。図１では、小（短）型のマルチタップ１０を例１として示しており、この場合、刃受け口長さは約６０ｍｍ、一般的なプラグの厚みは約１４〜１５ｍｍなので、一般的なプラグを４個ほど接続することができる。他の型については後述する。
【００１６】
マルチタップ１０は、一対の平行な刃１１、１１を有するプラグ類１２（図７参照）を接続するための、一対の平行な刃受け口１３、１４を、タップ本体１５の一面（上面）に有している。上下二部材１５Ａ、１５Ｂは、プラスチック成型により、中空構造を有するように形成されている。故に、例１のタップ本体１５では、上記刃受け口１３、１４は上部材１５Ａに形成され、複数個のプラグ類１２の刃１３、１４を同時に挿し込める長さの細長い溝状を有している。
【００１７】
下部材１５Ｂの内部には、端子収容部１６、１７が、同様に型成形によって、設けられている。また、通電コード１８の取り付け部１９が、上下二部材１５Ａ、１５Ｂの長手方向の一端部に同様に設けられている（図２）。そして通電コード１８の導線１８ａ、１８ｂが、後述する一対の刃受け端子２０Ａ、２０Ｂと接続端２０ａ、２０ｂにてハンダ付け等の手段により接続される。
【００１８】
上記一対の刃受け端子２０Ａ、２０Ｂは、プラグ類の刃１１を挟持するために導電性材料より成る板材を用いて、ほぼＵ字状の横断面形状を有するように曲げ加工したものから成る。これらの端子２０Ａ、２０Ｂは、それぞれのほぼＵ字状横断面の開口部にて、プラグ類の歯１１を挟持し通電状態とする。特に本考案の場合、刃受け端子２０Ａ、２０Ｂは複数個のプラグの刃１１の並び方向に所定の間隔で形成された切り離し部２１を有している。
【００１９】
上記切り離し部２１は刃幅よりはるかに小さい幅のスリットから成り、そのスリットはほぼＵ字状横断面の開口部を構成する対向片に設けられ、かつ、対向片に設けられる位置をプラグ類１２の並び方向にずらせた配置になっている。スリットが同一位置になければ端子の対向する片同士が平行に開かずに広狭の差ができ、厚みの異なる刃（特に薄い刃）でも確実な接続が可能になる。
【００２０】
このように構成された一対の刃受け端子２０Ａ、２０Ｂは、スリット状の切り離し部２１にて分離しているが、ほぼＵ字型の曲げ加工部では分離しておらず、対向片は一体である。更にその曲げ加工部には、端子押さえ２２が切り離し部２１に付き１個宛設けられ、端子押さえ２２に、後述する押さえ部２８が嵌合して刃受け端子２０Ａ、２０Ｂを固定するように構成されている。
【００２１】
タップ本体１５の刃受け口１３、１４は、異物侵入を防止するシャッター機構２５を有している。図示のシャッター機構２５は一対の刃受け口１３、１４を内側にて開閉する各一対の開閉片２３、２４及びそれらの間に位置して一対の開閉片２３、２４を押し広げる方向に作用する弾性部材２６、２６を有している（図３）。
【００２２】
上記一対の開閉片２３、２４には、刃受け口１３、１４に差し込まれるプラグ類１２の刃１１と接触する斜面２３ａ、２４ａを設けている（図４）。この斜面２３ａ、２４ａは上部中央から下部外方へ向かう下り傾斜の斜面であり、この斜面２３ａ、２４ａに作用する分力によって弾性部材２６、２６を圧縮し開閉片２３、２４が移動して刃受け口１３、１４を開くように構成されている。
【００２３】
各開閉片２３、２４はほぼコ字型の平面形状に形成されており、かつ、内側には対向的に突起２３ｂ、２４ｂが設けられていて、それらに弾性部材２６としてコイルばねが両端にて取り付けられている。また、開閉片２３、２４が左右方向へスライド可能に配置されるように、開閉片可動部２７がタップ本体１５の上部材１５Ａの内側の天面に設けられている（図５参照）。なお、開閉片可動部２７の下面は、後述するスペーサー３０によって仕切られる。
【００２４】
上記スペーサー３０は、刃受け口１３、１４と端子２０Ａ、２０Ｂとの間に配置され、プラグ類１２の刃１１が傾斜した時に端子２０Ａ、２０Ｂから外れやすいように、タップ本体一面の刃受け口１３、１４と端子２０Ａ、２０Ｂとの間隔を空けるものである。そのために、スペーサー３０は適当数の押さえ部２８と、その上部に一体的に設けられている板状部２９を有している。
【００２５】
従って、タップ本体一面の刃受け口１３、１４と端子２０Ａ、２０Ｂとの間隔は、上記押さえ部２８及び下部材１５Ｂに設けられて板状部２９を受ける下部調整部２８ｂの高低によっても任意に調節し得る。なお、板状部２９の上面が、前述した開閉片２３、２４のスライドする面となる。
【００２６】
スペーサー３０の板状部２９には、上部に位置する一対の平行な刃受け口１３、１４及び下部に位置する端子２０Ａ、２０Ｂと平行な長溝３１、３２が設けられている。なお、長溝３１、３２はプラグ類１２の刃１１、１１を通過可能な形態を有する。そして、上記端子２０Ａ、２０Ｂ、シャッター機構２５及びスペーサー３０は上下二部材１５Ａ、１５Ｂの内部に固定され、数か所のネジ止め部３３にてネジ３４により一体に結合される（図２参照）。
【００２７】
本考案では、一般的なプラグ類１２を４個ほど接続することができる例１の小（短）型のマルチタップ１０よりも２倍以上の個数のプラグを接続することができるので、それを例２のマルチタップ４０とする。例２が例１と相違するのは接続可能なプラグ類１２の個数だけでそれ以外の構成は同一であるので、外形上相違するタップ本体３５Ａ、３５Ｂ、刃受け口３６、３７のみ符号を区別し、それ以外の符号は例１のものを援用し例２の説明に代え、詳細な説明は省略する。なお、３８は図示していない相手係合部と対をなす中間係合部で、両端ネジ止め部３３間に適当数設けられる。
【００２８】
このように構成されている本考案によれば、図７に示したように一般的なプラグ類１２やＡＣアダプター３９の刃１１を、刃受け口１３、１４の任意の位置に挿し込んで電気機器を使用することができる。特に、本考案のマルチタップ１０、４０では、プラグ類１２の挿し位置を変更したい場合、従来は一旦引き抜いて挿し直さなければならなかったが、刃受け口１３、１４に沿って刃１１をスライドさせることができるので、電気的接続を切る必要がなく、機器への悪影響を及ぼさずに済む。そして、刃厚の異なるプラグ類１２が挿入されても一定の保持力を確保でき、金属片等の混入をシャッター機構２５により防止でき、スペーサー３０により端子２０Ａ、２０Ｂをタップ本体１５の上面から離すことで刃１１の露出を少なくできることは上述のとおりである。
【図面の簡単な説明】
【００２９】
【図１】本考案に係るマルチタップの例１を示すもので、Ａは上面図、Ｂは側面図、Ｃは下面図である。
【図２】同上の装置を分解して示した斜視図である。
【図３】同上におけるシャッター機構と板材を示す斜視図である。
【図４】同上のマルチタップの横断面図である。
【図５】同じく部分的縦断面図である。
【図６】本考案に係るマルチタップの例２を示す斜視図である。
【図７】同じく本考案に係るマルチタップの使用状態を示す斜視図である。
【符号の説明】
【００３０】
１０、４０  マルチタップ
１１  刃
１２  プラグ類
１３、１４、３６、３７  刃受け口
１５  タップ本体、１５Ａ、３５Ａ、上部材、１５Ｂ、３５Ｂ  下部材
１６、１７  端子収容部
１８  通電コード
１９  コード接続用の取り付け部
２０Ａ、２０Ｂ  一対の端子
２１  切り離し部（スリット）
２２  端子押さえ
２３、２４  開閉片
２５  シャッター機構
２６  弾性部材
２７  開閉片可動部
２８  押さえ部
２９  板状部
３０  スペーサー
３１、３２  長溝
３８  中間係合部
３９  ＡＣアダプター
【図１】
0003191623.tif 000003
【図２】
0003191623.tif 000004
【図３】
0003191623.tif 000005
【図４】
0003191623.tif 000006
【図５】
0003191623.tif 000007
【図６】
0003191623.tif 000008
【図７】
0003191623.tif 000009